(57)【要約】      （修正有）【課題】表示パネルの走査線を起動する役割を果たす、連続した一対の起動信号における先行起動信号のパルス持続時間が終わる時点が、前記連続した一対の起動信号における後続起動信号のパルス持続時間が開始される時点より前に発生する起動信号を生成するための駆動方法を提供する。【解決手段】表示パネルの走査線（Ｃｏｍ１〜ＣｏｍＮ）を起動する役割を果たす起動信号を生成するための駆動方法では、複数の記録されたパルス持続時間情報に基づいて起動信号を生成することによって、連続した一対の前記起動信号における先行起動信号のパルス持続時間が終わる時点が、前記連続した一対の起動信号における後続起動信号のパルス持続時間が開始される時点より前に発生する。駆動方法を実施する駆動装置も開示される。起動信号のパルス持続時間を調整するための方法も更に開示される。【選択図】図５
2010039465.tif 000002
【特許請求の範囲】
【請求項１】
表示パネルの走査線を起動する役割を果たす起動信号を生成するための駆動方法であって、
複数の記録されたパルス持続時間情報に基づいて前記起動信号を生成することによって、連続した一対の前記起動信号における先行起動信号のパルス持続時間が終わる時点が、前記連続した一対の起動信号における後続起動信号のパルス持続時間が開始される時点より前に発生することを特徴とする駆動方法。
【請求項２】
請求項１に記載の駆動方法であって、前記起動信号が連続した起動信号のグループに配置され、前記グループの１つの中にある起動信号が前記記録されたパルス持続時間情報の１つに基づいて生成されることを特徴とする駆動方法。
【請求項３】
表示パネルの走査線を起動する役割を果たす起動信号のパルス持続時間を調整する方法であって、
Ａ）連続した一対の前記起動信号における先行起動信号のパルス持続時間が終わる時点を決定するステップと、
Ｂ）前記連続した一対の起動信号における後続起動信号のパルス持続時間が開始される時点を決定するステップと、
Ｃ）前記ステップＡ）及び前記ステップＢ）において決定された時点間の差異を算出するステップと、
Ｄ）前記連続した一対の起動信号における先行起動信号のパルス持続時間が終わる時点が、前記連続した一対の起動信号における後続起動信号のパルス持続時間が開始される時点より前に発生するように、前記ステップＣ）において算出された差異に基づいて、前記連続した一対の起動信号の中の少なくとも１つの起動信号のパルス持続時間を調整するステップと、を備えることを特徴とする方法。
【請求項４】
請求項３に記載の方法であって、前記ステップＤ）において、前記ステップＣ）で算出した差異以上の量だけ、前記ステップＡ）で決定した時点を進めることで、前記連続した一対の起動信号における先行起動信号のパルス持続時間を短縮することを特徴とする方法。
【請求項５】
請求項３に記載の方法であって、前記ステップＤ）において、前記ステップＣ）で算出した差異以上の量だけ、前記ステップＢ）で決定した時点を遅延させることで、前記連続した一対の起動信号における後続起動信号のパルス持続時間を短縮することを特徴とする方法。
【請求項６】
請求項３に記載の方法であって、
前記ステップＤ）において、前記ステップＡ）において決定された時点を第１の量だけ進め、かつ前記ステップＢ）において決定された時点を第２の量だけ遅延させることで、前記連続した一対の起動信号のパルス持続時間を短縮し、
前記第１と前記第２との量の合計は、前記ステップＣ）で算出した前記差異以上であることを特徴とする方法。
【請求項７】
表示パネルの走査線を起動する役割を果たす起動信号を生成するための駆動方法であって、
Ａ）起動信号のパルス持続時間を調整するステップであって、
ａ１）連続した一対の前記起動信号における先行起動信号のパルス持続時間が終わる時点を決定するサブステップと、
ａ２）前記連続した一対の起動信号における後続起動信号のパルス持続時間が開始される時点を決定するサブステップと、
ａ３）前記サブステップａ１）およびａ２）において決定された時点間の差異を算出するサブステップと、
ａ４）前記連続した一対の起動信号における先行起動信号のパルス持続時間が終わる時点が、前記連続した一対の起動信号における後続起動信号のパルス持続時間が開始される時点より前に発生するように、前記サブステップａ３）で算出された差異に基づいて、前記連続した一対の起動信号の中の少なくとも１つの起動信号のパルス持続時間を調整するサブステップと、を含むステップと、
Ｂ）前記ステップＡ）で調整された起動信号のパルス持続時間を記録するステップと、
Ｃ）前記ステップＢ）で記録されたパルス持続時間に基づいて前記起動信号を生成するステップと、を備えることを特徴とする駆動方法。
【請求項８】
請求項７に記載の駆動方法であって、前記サブステップａ４）において、前記サブステップａ３）で算出した差異以上の量だけ、前記サブステップａ１）で決定した時点を進めることで、前記連続した一対の起動信号における先行起動信号のパルス持続時間を短縮することを特徴とする駆動方法。
【請求項９】
請求項７に記載の駆動方法であって、前記サブステップａ４）において、前記サブステップａ３）で算出した差異以上の量だけ、前記サブステップａ２）で決定した時点を遅延することで、前記連続した一対の起動信号における後続起動信号のパルス持続時間を短縮することを特徴とする駆動方法。
【請求項１０】
請求項７に記載の駆動方法であって、
前記サブステップａ４）において、前記サブステップａ１）において決定された時点を第１の量だけ進め、かつ前記サブステップａ２）において決定された時点を第２の量だけ遅延させることで、前記連続した一対の起動信号のパルス持続時間を短縮し、
前記第１と前記第２との量の合計は、前記サブステップａ３）で算出した前記差異以上であることを特徴とする駆動方法。
【請求項１１】
請求項７に記載の駆動方法であって、前記起動信号が連続した起動信号のグループに配置され、前記グループの１つの中にある起動信号が前記ステップＢ）において記録されたパルス持続時間の１つに基づいて生成されることを特徴とする駆動方法。
【請求項１２】
表示パネルの走査線を起動する役割を果たす起動信号を生成するための駆動装置であって、
複数のパルス持続時間情報を内部に記録する記憶部と、
前記記憶部に連結され、前記記憶部に記録されたパルス持続時間情報に基づいて起動信号を生成するように動作する起動部と、を備え、前記起動部は、前記パルス持続時間情報により、連続した一対の前記起動信号における先行起動信号のパルス持続時間が終わる時点が、前記連続した一対の起動信号における後続起動信号のパルス持続時間が開始される時点より前に発生するように、前記起動信号を生成することが可能になることを特徴とする駆動装置。
【請求項１３】
請求項１２に記載の駆動装置であって、前記起動部は、カウント値を出力するカウンタを備え、前記起動部は、前記パルス持続時間情報に基づきかつ前記カウンタにより出力されたカウント値を参照して、前記起動信号を生成することを特徴とする駆動装置。
【請求項１４】
請求項１２に記載の駆動装置であって、前記起動部は、前記起動信号が連続した起動信号のグループに配置されるように、かつ前記グループの１つの中にある起動信号が前記記憶部に記録されたパルス持続時間情報の１つに基づいて生成されるように、前記起動信号を生成することを特徴とする駆動装置。
【請求項１５】
ディスプレイであって、
複数の走査線を有する表示パネルと、
前記表示パネルに連結され、前記表示パネルの前記走査線を順次起動する役割を果たす起動信号を生成するように動作する駆動装置と、を備え、前記駆動装置は、
複数のパルス持続時間情報を内部に記録する記憶部と、
前記記憶部と前記表示パネルとに連結され、前記記憶部に記録された前記パルス持続時間情報に基づいて前記起動信号を生成するように動作する起動部と、を備え、
前記起動部は、前記パルス持続時間情報により、連続した一対の前記起動信号における先行起動信号のパルス持続時間が終わる時点が、前記連続した一対の起動信号における後続起動信号のパルス持続時間が開始される時点より前に発生するように、前記起動信号を生成することが可能になることを特徴とするディスプレイ。
【請求項１６】
請求項１５に記載のディスプレイであって、前記起動部は、カウント値を出力するカウンタを備え、前記起動部は、前記パルス持続時間情報に基づきかつ前記カウンタにより出力されたカウント値を参照して、前記起動信号を生成することを特徴とするディスプレイ。
【請求項１７】
請求項１５に記載のディスプレイであって、前記起動部は、前記起動信号が連続した起動信号のグループに配置されるように、かつ前記グループの１つの中にある前記起動信号が前記記憶部に記録されたパルス持続時間情報の１つに基づいて生成されるように、前記起動信号を生成することを特徴とするディスプレイ。
【請求項１８】
請求項１５に記載のディスプレイであって、前記ディスプレイは、超ねじれネマチック（ＳＴＮ）型の液晶ディスプレイ（ＬＣＤ）であることを特徴とするディスプレイ。
【発明の詳細な説明】
【技術分野】
【０００１】
〔関連出願の相互参照〕
本出願は、２００８年７月３１日に出願された、台湾出願番号０９７１２９０２５の優先権を主張する。
【０００２】
本発明は、表示パネルの走査線を起動する役割を果たす起動信号を生成するための駆動方法および装置に関する。
【背景技術】
【０００３】
液晶ディスプレイ（ＬＣＤ）は、当技術分野で周知のように、その断面の薄さと軽量性から、多くのブラウン管（ＣＲＴ）に取って代わった。ＬＣＤには、ねじれネマチック（ＴＮ）型、超ねじれネマチック（ＳＴＮ）型、あるいは薄膜トランジスター（ＴＦＴ）型がある。ＴＦＴ型のＬＣＤは、ＴＮ型やＳＴＮ型のＬＣＤに比べると、製造コストが比較的高い。そのため、ＴＮ型やＳＴＮ型のＬＣＤは、携帯電話やデジタルカメラに使用されることが多い。
【０００４】
図１では、表示パネル９２および駆動装置９１を含む従来のＳＴＮ型のＬＣＤを図示する。表示パネル９２は、複数の走査線（Ｃｏｍ１〜ＣｏｍＮ）を有する。駆動装置９１は、表示パネル９２の走査線（Ｃｏｍ１〜ＣｏｍＮ）に接続されており、順次走査様式で、表示パネル９２の走査線（Ｃｏｍ１〜ＣｏｍＮ）を起動する役割を果たす起動信号を生成するように動作する。
【０００５】
さらに図２を参照すると、前述した従来のＳＴＮ型のＬＣＤには、以下のような欠点がある。それは、当該駆動装置９１が、連続した一対の起動信号における先行起動信号（例えば、起動信号（Ｓ１））のパルス持続時間が終わる時点と、連続した一対の起動信号における後続起動信号（すなわち、起動信号（Ｓ２））のパルス持続時間が開始される時点が、同時（例えば、時点（ｔ３２））に発生するように起動信号を生成することである。しかしながら、走査線（Ｃｏｍ１〜ＣｏｍＮ）の非理想的効果（例えば、不ぞろいな負荷効果）のために、起動信号（Ｓ１、Ｓ２）が減衰し、結果として起動信号（Ｓ１´）のパルス持続時間が終わる時点（ｔ３３）は、起動信号（Ｓ２´）のパルス持続時間が開始される時点（ｔ３２）の後で発生することがある。すなわち、起動信号（Ｓ２´）は、起動信号（Ｓ１´）が走査線（Ｃｏｍ１〜ＣｏｍＮ）における隣接する一対の走査線の中の一方の走査線（例えば、走査線（Ｃｏｍ１））を完全に非起動させる前に、隣接した一対の走査線の中の他方の走査線（例えば、走査線Ｃｏｍ２））の起動を開始する。これにより、走査線（Ｃｏｍ１、Ｃｏｍ２）間にクロストークが生じ易くなり、結果的に従来のＳＴＮ型のＬＣＤの表示パネル９２上に現れる「影」になる。
【０００６】
さらに、走査線（Ｃｏｍ１〜ＣｏｍＮ）の長さが異なるために非理想的な効果も異なり、走査線（Ｃｏｍ１〜ＣｏｍＮ）が減衰させる起動信号の度数が異なってくる。特に、最も短い走査線（Ｃｏｍ１）は、起動信号（Ｓ１）の減衰度数が最も少ないのに対し、走査線（ＣｏｍＮ）は最も長いため、起動信号（Ｓｎ）の減衰度数は最も大きい。
【０００７】
上記問題を解決するために、走査線（Ｃｏｍ１〜ＣｏｍＮ）の幅を、最短の走査線（Ｃｏｍ１）から最長の走査線（ＣｏｍＮ）へと、徐々に増加させていくことが提案された。しかしながら、この提案では、例えば、回路基板（図示せず）の、走査線（Ｃｏｍ１〜ＣｏｍＮ）により占有された面積がより大きくなる。かかる問題は、多くの走査線を有する表示パネルにとって、さらに深刻度を増す。さらに、走査線（Ｃｏｍ１〜ＣｏｍＮ）の幅の増加度は、表示パネル９２の特定の型に基づいて決定されるため、例えば、回路基板上などで、いったん走査線（Ｃｏｍ１〜ＣｏｍＮ）が形成されると、当該幅は別の型の表示パネルに適合するように変更することはできない。
【発明の概要】
【０００８】
したがって、本発明の主な目的は、表示パネルの走査線を起動する役割を果たす、先行技術が有する上記欠点を克服することができる、起動信号を生成するための駆動方法を提供することである。
【０００９】
本発明の別の目的は、上記駆動方法を実行する駆動装置を提供することである。
【００１０】
本発明のさらに別の目的は、上記駆動装置を含むディスプレイを提供することである。
【００１１】
本発明のさらに別の目的は、上記起動信号のパルス持続時間を調整するための方法を提供することである。
【００１２】
本発明の第１の局面は、表示パネルの走査線を起動する役割を果たす起動信号を生成するための駆動方法であって、複数の記録されたパルス持続時間情報に基づいて起動信号を生成することによって、連続した一対の起動信号における先行起動信号のパルス持続時間が終わる時点が、連続した一対の起動信号における後続起動信号のパルス持続時間が開始される時点より前に発生することを特徴とする駆動方法である。
【００１３】
本発明の第２の局面は、表示パネルの走査線を起動する役割を果たす起動信号のパルス持続時間を調整する方法であって、
Ａ）連続した一対の起動信号における先行起動信号のパルス持続時間が終わる時点を決定する終了時点決定ステップと、
Ｂ）連続した一対の起動信号における後続起動信号のパルス持続時間が開始される時点を決定する開始時点決定ステップと、
Ｃ）ステップＡ）およびステップＢ）において決定された時点間の差異を算出する差異算出ステップと、
Ｄ）連続した一対の起動信号における先行起動信号のパルス持続時間が終わる時点が、連続した一対の起動信号における後続起動信号のパルス持続時間が開始される時点より前に発生するように、ステップＣ）において算出された差異に基づいて、連続した一対の起動信号の中の少なくとも１つの起動信号のパルス持続時間を調整するステップと、を備えることを特徴とする方法である。
【００１４】
本発明の第３の局面は、表示パネルの走査線を起動する役割を果たす起動信号を生成するための駆動方法であって、
Ａ）起動信号のパルス持続時間を調整するステップであって、
ａ１）連続した一対の起動信号における先行起動信号のパルス持続時間が終わる時点を決定するサブステップと、
ａ２）連続した一対の起動信号における後続起動信号のパルス持続時間が開始される時点を決定するサブステップと、
ａ３）サブステップａ１）およびａ２）において決定された時点間の差異を算出するサブステップと、
ａ４）連続した一対の起動信号における先行起動信号のパルス持続時間が終わる時点が、連続した一対の起動信号における後続起動信号のパルス持続時間が開始される時点より前に発生するように、サブステップａ３）で算出された差異に基づいて、連続した一対の起動信号の中の少なくとも１つの起動信号のパルス持続時間を調整するサブステップと、を含むステップと、
Ｂ）ステップＡ）で調整された起動信号のパルス持続時間を記録するステップと、
Ｃ）ステップＢ）で記録されたパルス持続時間に基づいて起動信号を生成するステップと、を備える駆動方法である。
【００１５】
本発明の第４の局面は、表示パネルの走査線を起動する役割を果たす起動信号を生成するための駆動装置であって、記憶部と起動部とを備える。記憶部は、複数のパルス持続時間情報を内部に記録するためのものである。起動部は、記憶部に連結され、記憶部に記録されたパルス持続時間情報に基づいて起動信号を生成するように動作する。起動部は、パルス持続時間情報により、連続した一対の起動信号における先行起動信号のパルス持続時間が終わる時点が、連続した一対の起動信号における後続起動信号のパルス持続時間が開始される時点より前に発生するように、起動信号を生成することが可能になる。
【００１６】
本発明の第５の局面において、ディスプレイは、表示パネルと駆動装置とを備える。表示パネルは、複数の走査線を有する。駆動装置は、表示パネルに連結され、表示パネルの走査線を起動する役割を果たす起動信号を順次生成するように動作し、記憶部と起動部とを備える。記憶部は、複数のパルス持続時間情報を内部に記録する。起動部は、記憶部と表示パネルとに連結され、記憶部に記録されたパルス持続時間情報に基づいて起動信号を生成するように動作する。起動部は、パルス持続時間情報により、連続した一対の起動信号における先行起動信号のパルス持続時間が終わる時点が、連続した一対の起動信号における後続起動信号のパルス持続時間が開始される時点より前に発生するように、起動信号を生成することが可能になる。
【００１７】
上述したこの発明の特徴および利点は、図面を参照して行う以下の実施例の詳細な説明から一層明らかとなろう。
【図面の簡単な説明】
【００１８】
【図１】従来の超ねじれネマチック（ＳＴＮ）型の液晶ディスプレイ（ＬＣＤ）の表示パネルおよび駆動パネルを図示したブロック図。
【図２】従来のＳＴＮ型のＬＣＤの駆動装置によって生成された、連続した一対の起動信号を図示したタイミング図。
【図３】本発明による表示パネルの走査線に接続された駆動装置の好適な実施例のブロック図。
【図４】好適な実施例の記憶部および起動部を図示したブロック図。
【図５】図３で示した駆動装置を使用して実施される表示パネルの走査線を起動する役割を果たす起動信号を生成する駆動方法の好適な実施例のフローチャート。
【図６】好適な実施例の記憶部に記録されたパルス持続時間情報を図示した概略図。
【図７】好適な実施例の記憶部に記録されたパルス持続時間情報を図示した概略図。
【図８】好適な実施例によって生成された連続した一対の起動信号を図示したタイミング図。
【図９】好適な実施例によって生成された連続した一対の起動信号を図示したタイミング図。
【発明を実施するための形態】
【００１９】
図３および図４を参照すると、本発明によるディスプレイ２用の駆動装置１の好適な実施例が、記憶部４および起動部５を含むように示される。
【００２０】
本実施例では、ディスプレイ２は、超ねじれネマチック（ＳＴＮ）型液晶ディスプレイ（ＬＣＤ）であり、複数の走査線（Ｃｏｍ１〜ＣｏｍＮ）を有する、表示パネル３を含む。
【００２１】
本発明の駆動装置１は、順次、つまり、順次走査様式で、表示パネル３の走査線（Ｃｏｍ１〜ＣｏｍＮ）を起動する役割を果たす起動信号を生成するように動作する。
【００２２】
記憶部４は、複数のパルス持続時間情報をその内部に記録するためのものである。本実施例では、記憶部４は、デジタル情報をその内部に記録することができるコンピュータメモリまたは回路であって良い。
【００２３】
起動部５は、記憶部４および表示パネル３の走査線（Ｃｏｍ１〜ＣｏｍＮ）に接続されている。本実施例では、起動部５は、記憶部４に記録されたパルス持続時間情報に基づいて、起動信号を生成するように動作する。起動部５は、パルス持続時間情報により、連続した一対の起動信号における先行起動信号のパルス持続時間が終わる時点が、連続した一対の起動信号における後続起動信号のパルス持続時間が開始される時点より前に発生するように、起動信号を生成することが可能になる。
【００２４】
各パルス持続時間情報は、２進コード形式で記憶部４に記録されており、駆動装置１が生成した起動信号のパルス持続時間の解像度を表すビット数であることに留意されたい。
【００２５】
本実施例では、起動部５は、起動信号が連続した起動信号のグループに配置されるように、かつ当該グループの１つの中にある起動信号が記憶部４に記録されたパルス持続時間情報の１つに基づいて生成されるように、当該起動信号を生成する。その結果、記憶部４に記録する必要があるパルス持続時間情報の数を減じることができる。
【００２６】
起動部５は、カウント値を出力するように動作するカウンタ５０を含む。当該カウント値は、１ずつインクリメントされるが、その値は１から始まり、最後の値は走査線（Ｃｏｍ１〜ＣｏｍＮ）の総数である。本実施例では、起動部５は、パルス持続時間情報に基づき、カウンタ５０によって出力されたカウント値を参照して起動信号を生成する。
【００２７】
本発明による起動信号を生成する駆動方法の好適な実施例を、図５を更に参照しながら説明する。
【００２８】
ステップ５１において、起動信号のパルス持続時間を調整する。
【００２９】
本実施例では、ステップ５１には、次のサブステップが含まれる。
５１１）起動部５で、連続した一対の起動信号を、記憶部４に記録されたパルス持続時間情報の１つに基づいて生成できるようにするサブステップ。
５１２）連続した一対の起動信号における先行起動信号のパルス持続時間の立下がりエッジが終わる時点を決定するサブステップ。
５１３）連続した一対の起動信号における後続起動信号のパルス持続時間立ち上がりエッジが開始される時点を決定するサブステップ。
５１４）サブステップ５１２）およびサブステップ５１３）において決定された時点間の差異を算出するサブステップ。
５１５）連続した一対の起動信号における先行起動信号のパルス持続時間の立下りエッジが終わる時点が、連続した一対の起動信号における後続起動信号のパルス持続時間の立上りエッジが開始される時点より前に発生するように、サブステップ５１４）において算出された差異に基づいて、連続した一対の起動信号の中の少なくとも１つの起動信号のパルス持続時間を調整するサブステップ。
【００３０】
本実施例では、上記サブステップは、次の１つを行うことにより実行されてもよい。
ａ）サブステップ５１４）において算出された差異以上の量だけ、サブステップ５１２）において決定された時点を進めることで、連続した一対の起動信号における先行起動信号のパルス持続時間を短縮する。
ｂ）サブステップ５１４）において算出された差異以上の量だけ、サブステップ５１３）において決定された時点を遅延させることで、連続した一対の起動信号における後続起動信号のパルス持続時間を短縮する。
ｃ）サブステップ５１２）において決定された時点を第１の量だけ進め、かつサブステップ５１３）において決定された時点を第２の量だけ遅延させることで、連続した一対の起動信号のパルス持続時間を短縮する。その中では、第１と第２との量の合計は、サブステップ５１４）において算出された差異以上である。
【００３１】
ステップ５２において、ステップ５１において調整された起動信号のパルス持続時間を、記憶部４に記録する。
【００３２】
最後にステップ５３において、起動部５が、ステップ５２において記録されたパルス持続時間に基づいて起動信号を生成することができるようになる。
【００３３】
ステップ５１の図示として、図６および図７に図示するように、サブステップ５１１）で、連続した一対の起動信号、すなわち、起動信号（Ｓ５、Ｓ６）は、「１１１１１１１１」の２進コードを有するパルス持続時間情報に基づいて生成されると仮定する。さらに、図８に図示するように、先行起動信号、すなわち、起動信号（Ｓ５）のパルス持続時間の立下りエッジが終わる時点（ｔ７７）は、後続起動信号、すなわち、起動信号（Ｓ６）が開始される時点（ｔ７６）の後で発生すると仮定する。この場合、時点（ｔ７７、ｔ７６）は、サブステップ５１２）および５１３）においてそれぞれ決定されており、該時点（ｔ７７）と時点（ｔ７６）の差異は、サブステップ５１４）において算出される。このようにして、サブステップ５１５）では、次の１つが実行される。
【００３４】
ａ）起動信号（Ｓ５）のパルス持続時間は、サブステップ５１４）において算出された差異より大きい量だけ時点（ｔ７７）を進めて短縮され、それによって、図８で最も良く示すように、起動信号（Ｓ５´）のパルス持続時間の立下りエッジが終わる時点（ｔ７５）は、起動信号（Ｓ６）のパルス持続時間の立上がりエッジが開始される時点（ｔ７６）より前に発生する。
図６に図示するように、時点（ｔ７７）を、起動信号（Ｓ５）に対応する、記憶部４に記録されたパルス持続時間情報の２進コードを、「１１１１１１１１」から「１１１１１１００」に変更して、時点（ｔ７５）まで進める。
【００３５】
ｂ）起動信号（Ｓ６）のパルス持続時間は、サブステップ５１４）において算出された差異より大きい量だけ時点（ｔ７６）を遅延させて短縮され、それによって、図９で最も良く示すように、起動信号（Ｓ５）のパルス持続時間の立下りエッジが終わる時点（ｔ７７）は、起動信号（Ｓ６´）のパルス持続時間の立上がりエッジが開始される時点（ｔ７８）より前に発生する。
図７に図示するように、時点（ｔ７６）を、起動信号（Ｓ６）に対応する記憶部４に記録されたパルス持続時間情報の２進コードを、「１１１１１１１１」から「００１１１１１１」に変更して、時点（ｔ７８）まで遅延させる。
【００３６】
ｃ）起動信号（Ｓ５、Ｓ６）のパルス持続時間を、第１の量だけ時点（ｔ７７）を進め、かつ第２の量だけ時点（ｔ７６）を遅延させることで短縮し、そこでは、第１と第２との量の合計は、サブステップ５１４）において算出された差異より大きく、そのため、起動信号（Ｓ５）のパルス持続時間の立下がりエッジが終わる時点は、起動信号（Ｓ６）のパルス持続時間の立上がりエッジが開始される時点より前に発生する。
起動信号（Ｓ５、Ｓ６）に対応する、記憶部４に記録されたパルス持続時間情報の２進コードを、「１１１１１１１１」から「０１１１１１１０」に変更することで、時点（ｔ７７）を第１の量だけ進め、時点（ｔ７６）を第２の量だけ遅延させる。
【００３７】
上記説明から、起動部５は、記憶部４に記録されたパルス持続時間情報に基づいて起動信号を生成するため、連続した一対の起動信号における先行起動信号のパルス持続時間が終わる時点が、連続した一対の起動信号における後続起動信号のパルス持続時間が開始される時点より前に発生するようになり、走査線（Ｃｏｍ１〜ＣｏｍＮ）の隣接配線間のクロストークを防止することができる。さらに、パルス持続時間情報は記憶部４に記録されるため、記憶部４に対し、当技術分野で周知の方法で書き込み操作を実行するだけで、異なる表示パネル製品にも適合するように変更することができる。
【００３８】
本発明は、最も実践的で好ましい実施例と考えられるものに関連して説明されたが、本発明は、開示された実施例に限定されると解釈されるべきではなく、最も広い解釈の精神と範囲内に含まれる様々な変更を含むものであり、そのような変更やそれらに等価な再構成をも包括するものである。
【符号の説明】
【００３９】
１    駆動装置
２    ディスプレイ
３    表示パネル
４    記憶部
５    起動部
５０  カウンタ
９１  駆動装置
９２  表示パネル
【図１】
2010039465.tif 000003
【図２】
2010039465.tif 000004
【図３】
2010039465.tif 000005
【図４】
2010039465.tif 000006
【図５】
2010039465.tif 000007
【図６】
2010039465.tif 000008
【図７】
2010039465.tif 000009
【図８】
2010039465.tif 000010
【図９】
2010039465.tif 000011